(57)【要約】【課題】  従来の取付部材に比べてゆがみ難い取付部材を備えた弾球遊技機を提供すること。【解決手段】略中央に開口部を有する遊技盤面と、該遊技盤面の前記開口部に配設される図柄表示装置と、該図柄表示装置の画像を制御する画像制御基板と、少なくとも該画像制御基板を取付する取付部材とを備え、前記図柄表示装置が配設された前記遊技盤面の裏面に２個の取付部材を配設する弾球遊技機において、前記２個の取付部材は、前記図柄表示装置を挟んで対向する位置で配設され、前記画像制御基板は、前記２個の取付部材に取付られた。【選択図】  図１１
2006034741.tif 000002
【特許請求の範囲】
【請求項１】
略中央に開口部を有する遊技盤面と、該遊技盤面の前記開口部に配設される図柄表示装置と、該図柄表示装置の画像を制御する画像制御基板と、少なくとも該画像制御基板を取付する取付部材とを備え、前記図柄表示装置が配設された前記遊技盤面の裏面に２個の取付部材を配設する弾球遊技機において、
前記２個の取付部材は、前記図柄表示装置を挟んで対向する位置で配設され、前記画像制御基板は、前記２個の取付部材に取付られることを特徴とする弾球遊技機。
【請求項２】
前記２個の取付部材は、略帯状の同一の形状を有していることを特徴とする請求項１に記載の弾球遊技機。
【請求項３】
前記２個の取付部材は、前記図柄表示装置の側面に配設されることを特徴とする請求項１乃至２に記載の弾球遊技機。
【請求項４】
略中央に開口部を有する遊技盤面と、該遊技盤面の前記開口部に配設される図柄表示装置と、該図柄表示装置の画像を制御する画像制御基板と、少なくとも該画像制御基板を取付する取付部材とを備える弾球遊技機において、
２個の取付部材を、前記遊技盤面の裏面で前記図柄表示装置を挟んで対向する位置に配設し、前記画像制御基板を、前記２個の取付部材に取付けることを特徴とする弾球遊技機の組立方法。
【発明の詳細な説明】
【技術分野】
【０００１】
本発明は、パチンコ遊技機等の弾球遊技機に関し、画像制御基板等の基板を取付ける取付部材を有する弾球遊技機に関する。
【背景技術】
【０００２】
従来のパチンコ遊技機に代表される弾球遊技機は、遊技盤を着脱自在に装着し打球発射装置等が取付けられた開閉搭載枠たる前枠に、賞球払出装置や各種制御基板が装備された裏セット盤が横開き開閉自在に取付けられて構成されている。
【０００３】
その概要構成を図１から図４に示す。図１は弾球遊技機ＰＭを正面から見た正面図、図２は弾球遊技機ＰＭを裏面から見た背面図（遊技盤の裏面構成を記載省略している）、図３は裏セット盤ＢＳＰから各種回路基板やカバー類を取り外した状態で示す背面図、図４はさらに裏セット盤ＢＳＰを取り外した状態で遊技盤２０の裏面構成を示す背面図である。
【０００４】
弾球遊技機ＰＭは、外郭方形枠サイズに構成されて縦向きの固定保持枠を成す外枠１の開口前面に、これに合わせた方形枠サイズに構成されて開閉搭載用の前枠２が互いの正面左側上下に配設されたヒンジ部材３ａ，３ｂにより横開き開閉および着脱可能に取り付けられ、正面右側に設けられた施錠装置４を利用して外枠１と係合された閉鎖状態で遊技に供される。
【０００５】
前枠２の正面側には、前枠２の前側面域に合わせた方形状のガラス扉５および上球皿６がともに横開き開閉及び着脱が可能に組付けられており、施錠装置４および図示しないロック機構を利用して前枠２の前面を覆う閉止状態で保持される。上球皿６には払い出された遊技球を貯留して整列させる球皿部６ａが設けられるとともに、球皿部６ａに貯留する遊技球を下球皿７に排出させる球抜きレバー６ｂが設けられ、この下球皿７と並んで遊技球の発射操作を行う操作ハンドル８が取付けられている。
【０００６】
前枠２の裏側には、この前枠２と一体に方形枠状の収容枠２ａが成形されており、この収容枠２ａに所定のゲージ設定で構成された遊技盤２０が複数の係合レバー１７，１７・・・により着脱交換可能にセット保持される。収容枠２ａは遊技盤２０をセット保持したときに、遊技盤２０の前面が閉鎖状態にあるガラス扉５のガラス板と所定間隔をおいて対向するように構成されており、遊技盤面とガラス板内面との間に遊技球が落下移動する遊技領域空間が形成される。また、前枠２の裏側下部には打球発射装置９が取付けられ、前枠２における収容枠２ａの下部に前枠２と一体に遊技補助盤１０が形成されている。なお、遊技補助盤１０の表側には打球発射装置９のハンマーと位置整合して遊技球を遊技盤の外レールに向けて発射する発射レールや、効果音を発生するスピーカ等が取付けられている。遊技補助盤１０は上球皿６の裏側に位置し、常には閉鎖状態に保持される上球皿６によりその表面側が覆われている。
【０００７】
収容枠２ａの裏側に球貯留供給機構４０や賞球払出機構５０等を有する裏セット盤ＢＳＰが上下のヒンジ１８，１８で横開き開閉及び着脱が可能に装備され、常には閉鎖レバー１９，１９・・・を用いて遊技盤２０の裏面を覆うように閉鎖保持される。裏セット盤ＢＳＰの各部には、この弾球遊技機ＰＭの作動を統括的に制御する主制御基板９１や、賞球の払出制御を行う賞球制御基板９２、効果照明や効果音の作動制御を行うランプ・音声制御基板９３、各制御基板や電子部品に所定の電力を供給する電源基板９４、複数のコネクタが取付けられて制御信号や電力の中継を行う中継基板９５、弾球遊技機の作動状態を遊技施設側に出力するためのターミナル基板９６等の各種基板や賞球カセット５３等の電子部品が取付けられ、各機器が図示しないワイヤーハーネスで接続される。弾球遊技機ＰＭは、全体が所要の後傾角度（例えば、１度以内の後傾角）で遊技施設の遊技島に縦向きに保持される。
【０００８】
上記の各回路基盤９１，９２，９３，９５等は、基枠体３０の裏面各部に一体形成された各回路基盤用の平坦な基板取り付け部８１，８２，８３，８５等により、基板ケースや基板ベースに固定される。前記の基板ケースまたは基板ベースにおけるベース部材の背面に形成されたケース側係合部と、基枠体側の基板取り付け部に形成された基枠側係合部とを利用して着脱交換自在に装備される。
【０００９】
弾球遊技機ＰＭは、上球皿６およびガラス扉５が閉止施錠された状態（図１に示す状態）で遊技に供され、球皿部６ａに遊技球を貯留させて操作ハンドル８を回動操作することにより遊技が開始される。操作ハンドル８の操作レバーが回動操作されると、球皿部６ａに貯留する遊技球が図示省略する球送り装置によって１球ずつ発射レール上に送り出され、打球発射装置９のハンマーに打ち出されて遊技盤２０の外レール２２ａに沿って遊技領域ＰＡに導かれ、以降パチンコゲームが展開される。
【００１０】
遊技盤２０は所定板厚の積層合板の表面にセルが貼り付けられた化粧板２１の前面側に、ステンレス鋼板等を利用した帯状の外レール２２ａおよび内レール２２ｂ（これらを合わせて案内レール２２と称する）が固設され、この案内レール２２に囲まれた内側に遊技領域ＰＡが区画される。遊技領域ＰＡ内には多数本の遊技釘とともに、複数の風車２３、入賞口２４や始動入賞部２５並びにアタッカーユニット２６等の入賞口、周囲に飾り部を有した図柄表示装置２８等が設けられている。
【００１１】
入賞口２４は、遊技球が落入可能な入賞孔を有し、ここに入賞した遊技球を検出する入賞球検出センサ（具体的には、遊技球の通過を磁気的、光学的または電気的手段等により検出するセンサ）が取付けられている。入賞口２４の後側には化粧板２１を貫通する入賞球通路孔２４ｈが設けられており、入賞口２４に入賞した遊技球は入賞球通路孔２４ｈを通って遊技盤２０の裏面側に排出される。
【００１２】
始動入賞部２５は、いわゆる電動チューリップ構成の入賞口からなり、左右のチューリップ羽根を開閉させることができる。この始動入賞部２５にも入賞した遊技球を検出する入賞球検出センサが取付けられるとともに、その後側に化粧板２１を貫通する入賞球通路孔（不図示）が設けられており、始動入賞部２５に入賞した遊技球は入賞球通路孔を通って遊技盤２０の裏面側に排出される。
【００１３】
アタッカーユニット２６は、中央に横長方形状の開口からなる大入賞口を有し、この大入賞口を開閉自在に覆って開閉扉が取付けられている。開閉扉は通常閉止されており、遊技中において所定の遊技条件の下で特別遊技状態が成立したときに、開閉扉が前方にほぼ９０度倒されて大入賞口が開放される。大入賞口内には左右二つの入賞口が設けられ、それぞれに入賞球検出センサが取付けられるとともに、このアタッカーユニット２６の後側に上記二つの入賞口に繋がって化粧板２１を貫通する二つの入賞球通路孔２６ｈ，２６ｈが設けられている。大入賞口から入賞した遊技球は入賞球通路孔２６ｈ，２６ｈを通って遊技盤２０の裏面側に排出される。
【００１４】
各入賞口２４，２５，２６に遊技球が入賞すると、各入賞口に取り付けられた入賞球検出センサによって入賞した遊技球が検出され、その入賞口の種類や遊技状況に応じた所定数の賞球が後述する賞球払出機構５０から上球皿６もしくは下球皿７に払い出される。また、図柄表示装置２８は遊技盤の前面側に液晶表示パネルを有しており、該図柄表示装置２８は画像制御基板９７に取付けられる。図柄表示装置２８の画像は画像制御基板９７により制御されて遊技状況に応じた種々の表示がなされる。また、画像制御基板９７は、遊技盤２０の裏面側に取付けられた各回路基盤９１，９２，９３，９５等と同様に、基枠体３０の裏面各部に一体形成された各回路基盤用の平坦な基板ケースや基板ベース等に固定される。（例えば、特許文献１参照）
また、上記遊技盤面の裏面構成による画像制御基板の配置の他に、遊技盤面の裏面にコの字型の取付部材を直接配設し、コの字型の取付部材に、図柄表示装置と画像制御装置等の基板を取付けることで、遊技盤面の裏面に図柄表示装置と画像制御基板等の基板を配設した遊技盤もある。
【００１５】
【特許文献１】特開２００３−１６４６２９号公報
【発明の開示】
【発明が解決しようとする課題】
【００１６】
上述した特許文献１に示される従来の弾球遊技機では、画像制御基板を含む各基板を遊技盤面に取付けるために、平坦な基板取り付け部が必要となるが、遊技盤面の裏面構成上、平坦なスペースを確保するのは困難であった。また、平坦なスペースを確保するため、遊技盤面の裏面に基板ケースや基板ベース等を配設し、該基板ケースや基板ベース等に各基板を取付けていた。そのため、遊技盤面の裏面構成が複雑になると供に、遊技盤面の組立作業が増加するといった問題があった。
【００１７】
また、上述した従来の弾球遊技機では、コの字型の取付部材を遊技盤面の裏面に配設し、該取付部材に基板等を取付けることで、遊技盤面の裏面に基板等を配設していた。また、図柄表示装置は、基板等に取付けられ、基板等と共に取付部材によって、遊技盤面の裏面に配設されていた。図柄表示装置のサイズを大きくした場合、上記の図柄表示装置の荷重も増大する。このことにより、コの字型の取付部材がゆがむといった問題もあった。特に、コの字型の取付部材の一辺は、上記の図柄表示装置及び基板の荷重を水平方向で支えるため、ゆがみが顕著に現れた。更に、このゆがみは、コの字型の取付部材の他辺にも悪影響を与えていた。
【００１８】
また、保守用に遊技盤と別個に出荷梱包する際、コの字型の形状から余分なスペースが発生し、梱包サイズが大きくなってしまうという問題もあった。
【課題を解決するための手段】
【００１９】
上記目的達成のため、本発明の弾球遊技機では、略中央に開口部を有する遊技盤面と、該遊技盤面の前記開口部に配設される図柄表示装置と、該図柄表示装置の画像を制御する画像制御基板と、少なくとも該画像制御基板を取付する取付部材とを備え、前記図柄表示装置が配設された前記遊技盤面の裏面に２個の取付部材を配設する弾球遊技機において、前記２個の取付部材は、前記図柄表示装置を挟んで対向する位置で配設され、前記画像制御基板は、前記２個の取付部材に取付られている。
【００２０】
これにより、基板ケースや基板ベース等が無くても、２個の取付部材を配設した後、画像制御基板等の基板を取付部材に取付けることで、遊技盤面の裏面に上記の基板を取付ける事ができる。そのため、従来のように基板ケースや基板ベース等を配設する必要が無く、遊技盤面の裏面構成が簡単になり、組立て作業を減少させることができる。また、２個の別個独立した取付部材で、図柄表示装置及び基板を取付けることで、一方の取付部材が他方の取付部材に悪影響を与えず、従来のコの字型の取付部材に比べ、強度を増加させることができる。更に、図柄表示装置又は基板のサイズが増加した場合でも、従来のコの字型の取付部材と異なり、形状変更することなしに取付けすることができる。
【００２１】
また、本発明の弾球遊技機では、前記２個の取付部材は、略帯状の同一の形状を有している。これにより、取付部材用の金型一つで、本発明にかかる２個の取付部材を製作することができる。また、遊技盤の組立作業において、２ヶ所ある取付部材の配設場所に、２個の取付部材のうち、どちらの取付部材を配設しても良く、組立作業の作業効率を向上することができる。更に、本発明にかかる取付部材は略帯状であるので、保守用に遊技盤と別個に出荷するため梱包する場合、余分なスペースが発生せず、従来のコの字型の取付部材に比べ、梱包サイズを小さくすることができる。
【００２２】
また、本発明の弾球遊技機では、前記２個の取付部材は、前記図柄表示装置の側面に配設されている。図柄表示装置は上下面の長さより側面の長さのほうが短いので、これにより、２個の取付部材の長さを短くすることができる。また、図柄表示装置及び基板の荷重を垂直方向のみで支えるため、従来のコの字型の取付部材に比べて、ゆがみ難くすることができる。
【００２３】
また、本発明の弾球遊技機では、略中央に開口部を有する遊技盤面と、該遊技盤面の前記開口部に配設される図柄表示装置と、該図柄表示装置の画像を制御する画像制御基板と、少なくとも該画像制御基板を取付する取付部材とを備える弾球遊技機において、
２個の取付部材を、前記遊技盤面の裏面で前記図柄表示装置を挟んで対向する位置に配設し、前記画像制御基板を、前記２個の取付部材に取付けて組立てている。これにより、従来のように基板ケースや基板ベース等を配設すること無く、基板等を遊技盤面の裏面に取付ける事ができる。また、遊技盤面の裏面構成が簡単になり、組立て作業を減少させることができる。
【発明の効果】
【００２４】
本発明によれば、基板ケースや基板ベース等が無くても、２個の取付部材を配設した後、画像制御基板等の基板を取付部材に取付けることで、遊技盤面の裏面に上記の基板を取付ける事ができる。そのため、従来のように基板ケースや基板ベース等を配設する必要が無く、遊技盤面の裏面構成が簡単になり、組立て作業を減少させることができる。また、２個の別個独立した取付部材で、図柄表示装置及び基板を取付けることで、一方の取付部材が他方の取付部材に悪影響を与えず、従来のコの字型の取付部材に比べ、強度を増加させることができる。更に、図柄表示装置又は基板のサイズが増加した場合でも、従来のコの字型の取付部材と異なり、形状変更することなしに取付けすることができる。
【００２５】
また、本発明によれば、２個の取付部材を略帯状で、同一形状にすることで、取付部材用の金型一つで、本発明にかかる２個の取付部材を製作することができる。また、遊技盤の組立作業において、２ヶ所ある取付部材の配設場所に、２個の取付部材のうち、どちらの取付部材を配設しても良く、組立作業の作業効率を向上することができる。更に、本発明にかかる取付部材は略帯状であるので、保守用に遊技盤と別個に出荷梱包する場合、余分なスペースが発生せず、従来のコの字型の取付部材に比べ、梱包サイズを小さくすることができる。
【００２６】
また、本発明によれば、図柄表示装置は上下面の長さより側面の長さのほうが短いので、２個の取付部材の長さを短くすることができる。また、図柄表示装置及び基板の荷重を垂直方向のみで支えるため、従来のコの字型の取付部材に比べて、ゆがみ難くすることができる。
【発明を実施するための最良の形態】
【００２７】
本発明の実施形態の一つについて、図面を参照して説明する。なお、以下に説明する実施形態は特許請求の範囲にかかる発明を限定するものではなく、また実施形態の中で説明されている特徴の組み合わせの全てが発明の解決手段に必須であるとは限らない。
【００２８】
はじめに、本発明の実施形態に係る弾球遊技機１０１の構成について図５及び図６を参照して説明する。
【００２９】
図５は、本発明の一の実形態に係る弾球遊技機の遊技盤面の外観を示す正面図、図６は、本発明の実施形態に使用されたセンター役物の斜視図である。この弾球遊技機１０１の遊技盤面１０２の略中央には、本実施形態に使用されたセンター役物１２０が配設されている。センター役物１２０は、中央に前後開口する大きな窓口を有する枠状に形成された物理的役物で、その上部（上枠部）に遊技球が入球する役物入口１２１が形成されている。役物入口１２１からセンター役物１２０の側枠部にかけて、図示しない通路が形成され、下枠部には遊技球が転動する上段ステージ１３０と下段ステージ１４０とが配設されている。更に、上段ステージ１３０と下段ステージ１４０の間には特別通路１５０が配設されている。
【００３０】
上段ステージ１３０には、流下孔１３４が設けられ、特別通路１５０は該流下孔１３４に連設する。また、特別通路１５０の先端には落下孔１５２が形成され、センター役物１２０に入球した一部の遊技球は特別通路１５０を進んだ後、該落下孔１５２より下に落下する。
【００３１】
また、下段ステージ１４０には、遊技球を排出する排出経路１４１が設けられており、センター役物１２０に入球した多くの遊技球はこの排出経路１４１より排出される。  センター役物１２０の略中央（前述したセンター役物１２０の中央の大きな窓口部分）には、図柄や遊技演出等の識別情報を可変表示する可変表示装置の一例として、図柄表示装置１０３が配設されている。本実施形態の図柄表示装置１０３は、従来の図柄表示装置より大型の、例えば、１０．４インチサイズの液晶ディスプレイが用いられており、従来より迫力のある遊技演出を遊技者に提供することができる。なお、この図柄表示装置１０３は、主に液晶ディスプレイが使用されるが、画面上に画像等の識別情報を表示可能であれば、例えば、ＣＲＴ、ドットマトリックス等の表示装置であっても良い。
【００３２】
センター役物１２０の下方には、遊技球が入賞可能な始動入賞部１０４が配設されている。この始動入賞部１０４の上部の開口部には、開口幅を拡大させる拡大装置１０５、１０５が配設されている。この拡大装置１０５、１０５は、通常は遊技球を１個通過可能とするが２個同時通過不可能な幅を保つことにより、始動入賞部１０４への遊技球の入賞を困難なものとしているが、拡大作動時は広い範囲で遊技球を拾うことが可能となり、始動入賞部１０４への遊技球の入賞を容易なものとする。
【００３３】
更に、本実施形態に使用されたセンター役物では、上述したセンター役物１２０に入球し、特別通路１５０を通過して落下孔１５２より落下した遊技球は、拡大装置１０５、１０５の作動に関わらず始動入賞部１０４に入賞するように構成されている。一方、センター役物１２０に入球し、下段ステージ１４０の排出経路１４１より遊技盤面１０２の下方に排出された遊技球は、拡大装置１０５、１０５が作動（開放）されていれば始動入賞部１０４へ容易に入賞可能であるが、通常の状態（作動無し）では始動入賞部１０４への入賞は困難である。
【００３４】
始動入賞部１０４の左側には、遊技球が通過可能な作動ゲート１０７が配設され、該作動ゲート１０７の左側には入賞口１０６が配設されている。作動ゲート１０７には通過した遊技球を検出する図示しない検出装置が設けられ、遊技球の通過を契機として普通図柄表示部１１１における普通図柄の変動表示が開始される。普通図柄は普通図柄表示部１１１に設けられたランプの表示によって行われ、当該ランプが所定の状態に点灯すると、始動入賞部１０４の拡大装置１０５、１０５は所定時間だけ作動される。
【００３５】
次に、始動入賞部１０４の下方には、アタッカーユニット１０８が配設されている。このアタッカーユニット１０８の正面略中央には、特別遊技が実行される際に開放される大入賞口１０９が設けられている。特別遊技（大当たり）とは、図柄表示装置１０３に停止表示される図柄が所定の大当たり図柄の場合に遊技者に特別の利益が提供されるような遊技であって、特別遊技は所定のラウンド数（例えば、最大１５ラウンド）の単位特別遊技より構成される。単位特別遊技とは、通常は閉鎖されている大入賞口１０９を、例えば、所定の時間が経過するまで、又は、所定個数の遊技球の入賞があるまで特別に開放させ、この間に大入賞口１０９に入賞した各遊技球に対して所定の個数の賞球を遊技者に与えるような遊技である。
【００３６】
遊技盤面１０２の下端には、始動入賞部１０４、入賞口１０６、大入賞口１０９の何れにも入賞しなかった遊技球が排出されるアウト口１１０が配設されている。また、遊技盤面１０２には、遊技球の落下方向に変化を付けるための図示しない釘等が配設されている。そして、遊技盤面１０２の前面は、図示しないガラス板で覆われている。更に、遊技盤面１０２の下方には、遊技球を遊技盤面１０２の下端から上端へ打ち出すための図示しない弾球ハンドルや、始動入賞部１０４、入賞口１０６、大入賞口１０９に遊技球が入賞したときに所定の個数の遊技球が払い出される図示しない賞球払出口及びそれらの遊技球を受ける球受け皿がそれぞれ配設されている。
【００３７】
以上のような構成の弾球遊技機１０１の遊技の概要について、図５に基づき説明する。遊技者が弾球ハンドルを操作すると、遊技球が発射されガイドレール１１２に案内されて遊技盤面１０２の上方に放出される。遊技球の一部は役物入口１２１よりセンター役物１２０に入球し、他の遊技球は図示しない釘等に接触して落下方向を変化させながら、一部の遊技球は入賞口１０６又は始動入賞部１０４に入賞する。遊技球が入賞口１０６に入賞すると、賞球払出口から例えば５球の賞球が遊技者に払い出される。
【００３８】
上述したように、センター役物１２０に入球した一部の遊技球は特別通路１５０を経由して落下孔１５２より落下して始動入賞部１０４に入賞する。センター役物１２０に入球したその他の遊技球は、上段ステージ１３０、下段ステージ１４０上を転動後、排出経路１４１より遊技盤面１０２の下方に排出される。この排出された遊技球は、拡大装置１０５、１０５が開放されていれば始動入賞部１０４へ容易に入賞することが可能であるが、通常の状態では始動入賞部１０４へ入賞することは稀である。最終的に始動入賞部１０４又は入賞口１０６に入賞しなかった遊技球は、アウト口１１０を介して遊技盤面１０２の裏面側に排出される。
【００３９】
次に、遊技球が作動ゲート１０７を通過すると、図示しない作動ゲート通過検出装置からの通過信号を契機に普通図柄抽選が行われ、普通図柄表示部１１１において普通図柄の変動を開始する。そして、変動が開始してから例えば３０秒が経過すると、抽選された結果の態様で普通図柄が停止する。このとき普通図柄の停止態様が予め定められた当たりの態様であれば、始動入賞部１０４の拡大装置１０５、１０５が作動され、例えば０．５秒間だけ保持される。この間、始動入賞部１０４の開口幅が拡大されているので、始動入賞部１０４への入賞が容易となる。また、普通図柄の停止態様が予め定められた外れの態様であれば、始動入賞部１０４の拡大装置１０５、１０５は作動されないが、この場合でも始動入賞部１０４への入賞は可能である。なお、普通図柄表示部１１１において普通図柄の変動中に遊技球がゲート１０７を通過した場合には、その分の変動は保留されて順次実行される。
【００４０】
次に、遊技球が始動入賞部１０４に入賞すると、図示しない始動入賞検出装置からの検出信号を契機に賞球払出口から例えば５球の賞球が遊技者に払い出されると共に、乱数抽選による大当たり判定処理が開始される。当該判定結果は、図柄表示装置１０３に図柄を変動表示した後停止図柄を表示する図柄変動演出と図示しない音声出力部からの音声出力により遊技者に報知される。この図柄変動演出は、単に大当たり判定処理の結果を遊技者に報知するのみでなく、遊技者に大当たり当選を期待又は予感させる、例えば、リーチ、ダブルリーチ等の遊技演出を含み、遊技者に多くの興趣を与えるものである。
【００４１】
図柄表示装置１０３に所定の大当たり図柄（例えば、「７」「７」「７」の特定のゾロ目の図柄）が停止表示されると大当たり当選であって、続いて特別遊技が開始される。すなわち、普段は閉鎖されている大入賞口１０９が開放され、遊技球は大入賞口１０９へ入賞することが可能となる。遊技球が大入賞口１０９に入賞すると、賞球払出口から所定の個数（例えば１５球）の賞球が遊技者に払い出される。開放された大入賞口１０９は、例えば、開放後３０秒経過するか、１０球の入賞があるかの何れかにより一旦閉鎖される。そして、大入賞口１０９が開放されている間に、大入賞口１０９の内部に設けられているＶゾーンへの入賞があると、大入賞口１０９は一旦閉鎖された後、再度開放される。このような大入賞口１０９の開放及び閉鎖を所定の回数（例えば、１５ラウンド）だけ繰り返し行う。一方、大入賞口１０９が所定の回数だけ開閉を繰り返すか、大入賞口１０９の開放中にＶゾーンへの入賞が無かった場合には特別遊技は終了する。
【００４２】
次に、本発明に係る弾球遊技機１０１の遊技盤面１０２の裏面構成について、図７乃至図１０を示して説明する。本実施形態にかかる弾球遊技機１０１では、遊技盤面１０２の裏面に本発明の取付部材２１０を配設している。
【００４３】
図７は、本発明の実施形態に係る弾球遊技機の遊技盤面の裏面構成を示す背面図である。図７に示すように、遊技盤面１０２の裏面略中央には、図柄表示装置１０３や画像制御基板２０４を保護するためのカバー２０１が配設されている。カバー２０１の下側には、弾球遊技機１０１の動作を統括的に制御する主制御基板２０２が配設されている。さらに主制御基板２０２の下側には、上述した始動入賞部１０４、大入賞口１０９、入賞口１０６の何れにも入賞しなかった遊技球が排出されるアウト口１１０が配設されている。
【００４４】
図８は、図７でカバーを外した場合の裏面構成を示す背面図である。カバー２０１を外すと、カバー２０１内部には、図柄表示装置１０３の図柄を制御する画像制御基板２０４などの基板等と、本発明に係る基板等を取付ける取付部材２１０が配設されている。なお、取付部材２１０に取付けられる基板等の詳細説明は図９に示す。また、図８では、図柄表示装置１０３の配設位置を点線で示している。よって、図柄表示装置１０３を配設するセンター役物１２０の窓口も図８に点線で示す位置で開口している。
図柄表示装置１０３は、画像制御基板２０４等の基板に取付けられ、上記の基板を取付部材に取付けることで、遊技盤面の裏面に取付けられる。
【００４５】
図９は、本発明に実施形態に係る弾球遊技機の取付部材に取付られる機器構成を示す背面図である。図９に示すように取付部材２１０は、図柄表示装置１０３の図柄を制御する画像制御基板２０４、効果照明や効果音の作動制御を行うランプ・音声制御基板２０５及び複数のコネクタが取付けられて制御信号や電力の中継を行う中継基板２０６を取付けている。
【００４６】
図柄表示装置１０３と主制御基板２０２、画像制御基板２０４、ランプ・音声制御基板２０５及び中継基板２０６の関係を簡単に説明すると、主制御基板２０２では、遊技球が始動入賞部１０４に入賞したことを図示しない検出装置で検出し、前記検出信号を契機に乱数抽選を行い、乱数抽選の結果を図柄表示装置１０３に表示すると共に、画像制御基板２０４やランプ・音声制御基板２０５に中継基板２０６を中継して送信する。  画像制御基板２０４では、主制御基板２０２から送信された乱数抽選の結果に基づいて、図柄表示装置１０３に装飾図柄パターンを表示する。ランプ・音声制御基板２０５は、前記装飾図柄パターンに合わせて、ランプを照射し音声を出力する。以上により、図柄表示装置１０３で図柄を表示させる場合に必要な制御処理を主制御基板２０２、画像制御基板２０４及びランプ・音声制御基板２０５で実施している。
【００４７】
画像制御基板２０４、ランプ・音声制御基板２０５及び中継基板２０６は取付部材２１０により遊技盤面１０２裏面に取付けられ、更に保護用のカバー２０１を配設されている。そのため、各種基板の保護と接続コネクタ・ケーブル等の配置の観点から、図柄表示装置１０３（図８の点線部参照。）の周辺に上記の基板等が集中して配設されることが望ましい。このため、本実施形態では、後述する本発明に係る取付部材を遊技盤面１０２の裏面に配設し、画像制御基板２０４、ランプ・音声制御基板２０５及び中継基板２０６を取付部材２１０に取付けた裏面構成としている。
【００４８】
図１０は、図８で基板を外した場合の裏面構成を示す背面図である。図１０は、図８に示す遊技盤面１０２の裏面構成から、主制御基板２０２、画像制御基板２０４、ランプ・音声制御基板２０５及び中継基板２０６を外した裏面構成を示している。略中央には、センター役物１２０が配設され、該センター役物１２０の左右両端部に、本発明に係る取付部材２１０が取付けられている。また、上記センター役物の中央には、図柄表示装置１０３を配設するため、前後開口された窓口を形成している。
【００４９】
また、センター役物１２０の下側に、排出球用の球通路２０７が配設されている。排出球用の球通路２０７は、始動入賞部１０４、入賞口１０６等に入賞した遊技球を集合させ、該遊技球を図示しない遊技施設側の遊技球回収設備に排出する球通路の一部である。排出球用の球通路２０７の左側には、図示しないカバー等が配設され、排出球用の球通路２０７とともに、球通路を形成している。
【００５０】
センター役物１２０の上側に配設されている入賞口１０６に入賞した遊技球は、センター役物１２０と一体形成された案内通路３００を通過し、排出球用の球通路２０７の左側に配設されるカバー等に落下後、排出球用の球通路２０７へ流下する。更に、排出球用の球通路２０７から遊技施設側の遊技球回収設備に排出される。また、球通路２０７の下側には、アタッカーユニット１０８とアウト口１１０が配設されている。
【００５１】
次に、本発明に係る取付部材２１０について、図１１乃至図１３を通して説明する。ここで、図１１は、本発明の実施形態に係る弾球遊技機の２個の取付部材の平面図、図１２は、本発明の実施形態に係る弾球遊技機の取付部材の正面図、図１３は、本発明の実施形態に係る弾球遊技機の取付部材の側面図である。
【００５２】
図１１に示すように、本発明に係る実施形態の取付部材２１０は、略帯状の形状を備え、図１２及び図１３に示すように、概略５個の部分（取付部材の本体である部分２１０ａ、取付けられる基板と接する基板取付面２１０ｂ、遊技盤面１０２の裏面に固定される取付部材固定用板２１０ｃ及び２１０ｄ、該裏面と接する取付部材配設面２１０ｅ）から構成されている。取付部材固定用板２１０ｃ及び２１０ｄは、取付部材本体２１０ａの取付部材配設面２１０ｅ側の端部に溶接等で接続されている。また、取付部材本体２１０ａの取付部材配設面２１０ｅの対向端には、基板取付面２１０ｂが加工されている。上記の対向端と基板取付面２１０ｂは段差を設けている。基板取付面２１０ｂをこのような形状にすることで、上記の段差が無いときに比べて、基板等を外れ難くしている。上述した本実施形態に示す取付部材２１０で基板等を固定することで、従来のように基板ケースや基板ベース等を配設する必要が無くなり、遊技盤面１０２の裏面構成が簡単になる。さらに、組立て作業も減少している。
【００５３】
また、本実施形態では図柄表示装置１０３に、従来の図柄表示装置より大型の、例えば、１０．４インチサイズの液晶ディスプレイを用いているが、従来のコの字形の取付部材に本実施形態の図柄表示装置１０３（１０．４インチサイズの液晶ディスプレイ）を取付けると、上記の図柄表示装置１０３及び基板等の荷重によって、ゆがみが発生した。特に、従来のコの字形の取付部材の一辺は、上記の荷重を水平方向で支えるため、ゆがみが顕著に現れた。
【００５４】
そこで、本実施形態では、２個の独立した取付部材２１０を図柄表示装置１０３の両側面に配設し、上記取付部材２１０に基板等を取付けている。これにより、図柄表示装置１０３及び基板等の荷重を垂直方向のみで支えるため、従来のコの字型の取付部材に比べて、ゆがみ難くしている。更に、従来のコの字型の取付部材と異なり、一方の取付け部材が他方の取付け部材に悪影響を与えることもないので、強度が増加している。
【００５５】
また、本実施形態では図柄表示装置１０３では、１０．４インチサイズの液晶ディスプレイを用いているが、仮に図柄表示装置１０３の幅を更に大きくしても、従来のコの字形の取付部材と異なり、形状変更することなく取付けすることが可能である。
【００５６】
ここで、本実施形態の組立て手順の概略を列記すると、まず、遊技盤面１０２を形成するベニヤに糊を塗り、セル貼り機によってベニヤに絵柄を貼る。次に、ＮＣルータ加工により、センター役物１２０、入賞口１０６、始動入賞部１０４及びアタッカーユニット１０８の開口孔を形成する。次に、釘打ち機でベニヤに釘を打ち、その後、センター役物１２０、入賞口１０６、始動入賞部１０４及びアタッカーユニット１０８を配設する。
【００５７】
次に、遊技盤面１０２の裏面に移行し、裏面の所定の場所に取付部材２１０、排出球用の球通路２０７及びアウト１１０等を配設する（図１０参照）。本実施形態では、取付部材２１０を図柄表示装置１０３の側面に配設している。
【００５８】
次に、図柄表示装置を取付けられた画像制御基板２０４、ランプ・音声制御基板２０５及び中継基板２０６を取付部材２１０に取付ける（図９参照）。次に、図示しないカバー等を排出球用の球通路２０７に取付けた後、主制御基板２０２を取付ける（図８参照）。次に取付部材２１０を蓋うように、カバー２０１を取付け、コネクタ等を接続する。
【００５９】
以上、遊技盤面１０２の概略の組立て手順を列記したが、本実施形態では、図１０に示したように取付部材２１０は遊技盤面１０２の裏面に直接配設し、２個の取付部材２１０は同一形状にしている。
【００６０】
そのため、上記に列記した組立て手順で、取付部材２１０を遊技盤面１０２の裏面に取付ける作業で、２ヶ所ある取付部材２１０の配設場所に、２個の取付部材２１０のうち、どちらの取付部材を配設しても良く、組立作業の作業効率が向上している。また、保守用に遊技盤と別個に出荷するため梱包する際、略帯状の形状から余分なスペースが発生せず、従来のコの字型の取付部材に比べて、梱包サイズを小さくすることができる。更に、従来のように基板ケースや基板ベース等の異なった形状のケース等と異なり、金型一つで取付部材２１０を作成でき、製造効率が向上している。
【００６１】
また、上述したように、取付部材２１０を、横長の長方形である図柄表示装置１０３の側面に配設しているので、図柄表示装置１０３の上下に配設する場合に比べ、取付部材２１０の長さが短くすることができる。
【００６２】
以上より、本実施形態の弾球遊技機では、略中央に開口部を有する遊技盤面１０２と、遊技盤面１０２の開口部に配設される図柄表示装置１０３と、図柄表示装置１０３の画像を制御する画像制御基板２０４と、少なくとも画像制御基板２０４を取付する取付部材２１０とを備え、図柄表示装置１０３が配設された遊技盤面１０２の裏面に２個の取付部材２１０を配設する弾球遊技機において、２個の取付部材２１０は、図柄表示装置１０３を挟んで対向する位置で配設され、画像制御基板２０４は、２個の取付部材２１０に取付られた。これにより、基板ケースや基板ベース等が無くても、２個の取付部材２１０を配設した後、画像制御基板２０４等の基板を取付部材２１０に取付けることで、遊技盤面１０２の裏面に上記の基板を取付ける事ができた。そのため、従来のように基板ケースや基板ベース等を配設する必要が無く、遊技盤面１０２の裏面構成が簡単になり、組立て作業を減少させることができた。
【００６３】
また、２個の別個独立した取付部材２１０で、図柄表示装置１０３及び基板を取付けることで、一方の取付部材が他方の取付部材に悪影響を与えず、従来のコの字型の取付部材に比べ、強度を増加させることができた。更に、図柄表示装置１０３又は基板のサイズが増加した場合でも、従来のコの字型の取付部材と異なり、形状変更することなしに取付けすることができた。
【００６４】
また、本実施形態の弾球遊技機では、２個の取付部材２１０は、略帯状の同一の形状にした。これにより、取付部材用の金型一つで、本発明にかかる２個の取付部材２１０を製作することができた。また、遊技盤の組立作業において、２ヶ所ある取付部材２１０の配設場所に、２個の取付部材２１０のうち、どちらの取付部材２１０を配設しても良く、組立作業の作業効率を向上することができた。更に、本発明にかかる取付部材２１０は略帯状であるので、保守用に遊技盤と別個に出荷梱包する場合、余分なスペースが発生せず、従来のコの字型の取付部材に比べ、梱包サイズを小さくすることができた。
【００６５】
また、本実施形態の弾球遊技機では、２個の取付部材２１０は、図柄表示装置１０３の側面に配設された。これにより、図柄表示装置１０３は上下面の長さより側面の長さのほうが短いので、２個の取付部材２１０の長さを短くすることができた。また、図柄表示装置１０３及び基板等の荷重を垂直方向のみで支えるため、従来のコの字型の取付部材に比べて、ゆがみ難くすることができた。
【００６６】
また、本実施形態の弾球遊技機では、略中央に開口部を有する遊技盤面１０２と、遊技盤面１０２の開口部に配設される図柄表示装置１０３と、図柄表示装置１０３の画像を制御する画像制御基板２０４と、少なくとも画像制御基板２０４を取付する取付部材２１０を配設する弾球遊技機において、２個の取付部材２１０を、遊技盤面１０２の裏面で図柄表示装置１０３を挟んで対向する位置に配設し、画像制御基板２０４を、２個の取付部材２１０に取付けた。これにより、従来のように基板ケースや基板ベース等を配設すること無く、基板等を遊技盤面１０２の裏面に取付ける事ができた。また、遊技盤面１０２の裏面構成が簡単になり、組立て作業を減少させることができた。
【００６７】
尚、本発明は、以上に述べた実施形態に係る弾球遊技機に限られず、取付部材に取付けられる基板を備える他の様々な弾球遊技機にも適用可能である。
【００６８】
特に、本発明の効果がより有効に発揮されるのは、上述した実施形態に係る弾球遊技機のように、センター役物の略中央に開口された窓口に図柄表示装置を配設し、更に、該図柄表示装置の図柄を制御する画像制御基板等を該図柄表示装置の周辺に集中して配設する弾球遊技機である。
【００６９】
また、本実施形態では、取付部材に取付けている基板は、画像制御基板、ランプ・音声制御基板及び中継基板であるが、特にこれに限定されることなく、他の基板、例えば主制御基板を取付けても良い。
【００７０】
また、本実施形態では、取付部材は遊技盤面の裏面に直接配設されているが、特にこれに限定されることなく、カバー等の他の機器に取付けることもできる。更に、本実施形態では、遊技盤面の裏面に直接配設しているため、取付部材の２ヶ所の配設場所に段差が無いが、２ヶ所の配設場所に段差があっても適用可能である。この場合、一方の取付部材について、基板取付面と取付部材配設面の距離ｈを変更すれば良い。
【００７１】
また、本実施形態に係る取付部材は、５個の部分から構成されているが、特にこれに限定されることなく、基板等を取付けられれば問題ない。よって、取付部材本体と基板取付面の間に段差が無くとも適用可能である。
【産業上の利用可能性】
【００７２】
本発明は、遊技球を用いる弾球遊技機であれば、いわゆるパチンコ遊技機のみならず、アレンジボール等他の弾球遊技機にも適用可能である。
【図面の簡単な説明】
【００７３】
【図１】弾球遊技機ＰＭを正面から見た正面図である。
【図２】弾球遊技機ＰＭを裏面から見た背面図である。
【図３】裏セット盤ＢＳＰから各種回路基板やカバー類を取り外した状態で示す背面図である。
【図４】裏セット盤ＢＳＰを取り外した状態で遊技盤２０の裏面構成を示す背面図である。
【図５】本発明の実施形態に係る弾球遊技機の遊技盤面の外観を示す正面図である。
【図６】本発明の実施形態に使用されたセンター役物の斜視図である。
【図７】本発明の実施形態に係る弾球遊技機の遊技盤面の裏面構成を示す背面図である。
【図８】図７でカバーを外した場合の裏面構成を示す背面図である。
【図９】本発明に実施形態に係る弾球遊技機の取付部材に取付られる機器構成を示す背面図である。
【図１０】図８で基板を外した場合の裏面構成を示す背面図である。
【図１１】本発明の実施形態に係る弾球遊技機の２個の取付部材の平面図である。
【図１２】本発明の実施形態に係る弾球遊技機の取付部材の正面図である。
【図１３】本発明の実施形態に係る弾球遊技機の取付部材の側面図である。
【符号の説明】
【００７４】
ＢＳＰ 裏セット盤  ＰＡ 遊技領域  ＰＭ 弾球遊技機  １ 外枠  ２ 前枠（２ａ 収容枠）  ３ａ，３ｂ ヒンジ部材  ４ 施錠装置  ５ ガラス扉  ６ 上球皿（６ａ 球皿部、６ｂ 球抜きレバー）  ７ 下球皿  ８ 操作ハンドル  ９ 打球発射装置  １０ 遊技補助盤  １７ 係合レバー  １８ ヒンジ  １９ 閉鎖レバー  ２０ 遊技盤
２１ 化粧板  ２２ 案内レール（２２ａ 外レール、２２ｂ 内レール）  ２３ 風車
２４ 入賞口（２４ｈ 入賞球通路孔）  ２５ 始動入賞部  ２６ アタッカーユニット（２６ｈ 入賞球通路孔）  ２７ アウト口（２７ｈ アウト球通路孔）  ２８ 図柄表示装置  ２９ 裏カバー  ３０ 基枠体  ３１ 窓口  ４０ 球貯留供給機構  
５０ 賞球払出機構  ５３ 賞球カセット  ７１ 球通路  ７４ 導出口  ７５ 遊技球排出通路（７５ｅ 排出口）  
８１，８２，８３，８５  基板取り付け部  ９１ 主制御基板  ９２ 賞球制御基板  
９３ ランプ・音声制御基板  ９４ 電源基板  ９５ 中継基板
９６ ターミナル基板  ９７ 画像制御基板
１０１  弾球遊技機  １０２  遊技盤面  １０３  図柄表示装置  １０４  始動入賞部１０５  拡大装置  １０６  入賞口  １０７  作動ゲート  １０８  アタッカーユニット  １０９  大入賞口  １１０  アウト口  １１１  普通図柄表示部  １２０  センター役物
１２１  役物入口  １３０  上段ステージ  １３４  流下孔  １４０  下段ステージ  １４１  排出経路  １５０  特別通路  １５２  落下孔
２０１  カバー  ２０２  主制御基板  ２０４  画像制御基板  ２０５  ランプ・音声制御基板  ２０６  中継基板  ２０７  排出球用の球通路  ２１０  取付部材  
２１０ａ  取付部材本体  ２１０ｂ  基板取付面  ２１０ｃ、２１０ｄ  取付部材固定用板  ２１０ｅ  取付部材配設面  ｈ  基板取付面と取付部材配設面との距離
３００  案内通路
【図１】
2006034741.tif 000003
【図２】
2006034741.tif 000004
【図３】
2006034741.tif 000005
【図４】
2006034741.tif 000006
【図５】
2006034741.tif 000007
【図６】
2006034741.tif 000008
【図７】
2006034741.tif 000009
【図８】
2006034741.tif 000010
【図９】
2006034741.tif 000011
【図１０】
2006034741.tif 000012
【図１１】
2006034741.tif 000013
【図１２】
2006034741.tif 000014
【図１３】
2006034741.tif 000015